(57)【要約】【課題】ユーザにとってより現実のペットの形態に近いロボットを提供する。【解決手段】  ロボットは、被写体を撮像する撮像部と、ユーザとのコミュニケーションの頻度に応じて撮像部の撮像条件を切り替える撮像条件切替部と、撮像部が撮像した画像をプリントするプリント部とを備える。撮像条件切替部は、コミュニケーションの回数をユーザが当該ロボットに触れた回数をもって特定する。撮像条件切替部は、頻度が予め定められた基準値以下となったことを条件として、ピントが被写体にあっていない画像を撮像部が撮像するように撮像条件を切り替える。【選択図】図１
2008044104.tif 000002
【特許請求の範囲】
【請求項１】
被写体を撮像する撮像部と、
ユーザとのコミュニケーションの頻度に応じて前記撮像部の撮像条件を切り替える撮像条件切替部と、
前記撮像部が撮像した画像をプリントするプリント部と
を備えることを特徴とするロボット。
【請求項２】
前記撮像条件切替部は、前記コミュニケーションの回数を前記ユーザが当該ロボットに触れた回数をもって特定することを特徴とする請求項１に記載のロボット。
【請求項３】
前記撮像条件切替部は、前記頻度が予め定められた基準値以下となったことを条件として、ピントが被写体にあっていない画像を前記撮像部が撮像するように前記撮像条件を切り替えることを特徴とする請求項１に記載のロボット。
【請求項４】
被写体を撮像する撮像段階と、
ユーザとのコミュニケーションの頻度に応じて前記撮像段階の撮像条件を切り替える撮像条件切替段階と、
前記撮像段階で撮像した画像をプリントするプリント段階と
を備えることを特徴とするロボットの制御方法。
【発明の詳細な説明】
【技術分野】
【０００１】
本発明は、ロボット及びその制御方法に関する。特に本発明は、画像を取り扱うロボット及びその制御方法に関する。
【背景技術】
【０００２】
従来、例えば特開平１１−１２６０１７号公報に開示されたペットロボットが知られている。上記ペットロボットは、複数のボタンを備えた操作部を有する。操作部のボタンには、それぞれ「叱る」、「ほめる」等の異なる概念が割り当てられている。ユーザがそのボタンを押すと、ロボットは、押されたボタンに割り当てられている概念に対応する動作を行う。例えば、割り当てられている概念が「吠える」であると、ロボットの口を動かすと同時に鳴き声に対応する音声信号をスピーカーから出力する。これにより、特開平１１−１２６０１７号公報に開示されている発明は、実際に生きているペットにより近い上記ペットロボットを提供しようとしている。
【発明の開示】
【発明が解決しようとする課題】
【０００３】
しかし、現実に生きている犬猫等のペットは、操作ボタンなどを介して飼い主とコミュニケーションをとることはない。現実に生きているペットは、例えば餌を飼い主からもらったり、あるいは、自分が大切にしているものを渡したりすることで飼い主とコミュニケーションをとる。つまり、現実に生きているペットは、何らかの物を飼い主との間でやり取りすることで飼い主とコミュニケーションを取る。
【０００４】
そこで本発明は、現実のペットが人間とコミュニケーションを取る形態により近い形態でユーザとコミュニケーションを取るロボット及びその制御方法を提供することを目的とする。この目的は特許請求の範囲における独立項に記載の特徴の組み合わせにより達成される。また従属項は本発明の更なる有利な具体例を規定する。
【課題を解決するための手段】
【０００５】
即ち、本発明の第１の形態に係るロボットは、ユーザからプリントを受け取るプリント受取部と、そのプリントに予め定められた記憶対象画像があるか否かを判断するプリント判断部と、プリントに記憶対象画像がある場合に当該記憶対象画像を記憶する記憶部とを備える。
【０００６】
上記ロボットは、プリントを保管できる保管部をさらに備え、プリント受取部は、記憶対象画像があるプリントを保管部に保管し、記憶対象画像がないプリント当該ロボットから排出することが好ましい。また、記憶対象画像は、人間の顔に関する画像であることが好ましい。また、上記ロボットは、記憶部に記憶されている記憶対象画像に対応する人がいる方向へ当該ロボットを移動させる動作制御部をさらに備えることがこのましい。
【０００７】
本発明の第１の形態に係るロボットは、記憶部に記憶されている記憶対象画像に対応しない他人がいる方向と異なる方向へ当該ロボットを向けさせる動作制御部をさらに備えてもよい。この場合、動作制御部は、他人から遠ざかる方向に当該ロボットを移動させることが好ましい。また、ロボットは、記憶部に記憶されている記憶対象画像に対応しない他人を撮像する撮像部をさらに備えてもよい。さらに、ロボットは、予め定められた距離だけ他人から離れた位置へ当該ロボットを移動させる動作制御部をさらに備え、撮像部は、移動の後に前記他人を撮像することであってもよい。さらに、ロボットは、移動の後であって撮像の前に他人の注意を喚起する音を発生させる音響部をさらに備えてもよい。また、このロボットでは、動作制御部が記憶部に記憶されている記憶対象画像に対応する知人がいる方向へ当該ロボットを移動させ、知人がいる方向へ移動した後に他人の画像をプリントするプリント部とをさらに備えてもよい。
【０００８】
本発明の第１の形態に係るロボットは、周囲にいる人を撮像する撮像部と、撮像部が撮像している人が記憶部に記憶されている記憶対象画像に対応する人であるか否かに基づいて当該ロボットの表情を変える表情変更部をさらに備えることが好ましい。
【０００９】
本発明の第２の形態に係るロボットは、被写体を撮像する撮像部と、ユーザとのコミュニケーションの頻度に応じて撮像部の撮像条件を切り替える撮像条件切替部と、撮像部が撮像した画像をプリントするプリント部とを備える。撮像条件切替部は、コミュニケーションの回数を前記ユーザが当該ロボットに触れた回数をもって特定することが好ましい。また、撮像条件切替部は、頻度が予め定められた基準値以下となったことを条件として、ピントが被写体にあっていない画像を撮像部が撮像するように前記撮像条件を切り替えることが好ましい。
【００１０】
本発明の第３の形態に係るロボットは、入力された音声が予め定められた音声に対応するか否かを判定する音声判定部と、音声がした方向を特定する音声方向特定部と、入力された音声が予め定められた音声に対応することを条件として音声がした方向を撮像する撮像部とを備える。このロボットは、予め定められた期間内に撮像部が撮像を行った撮像回数が、予め定められている許容回数に達しているか否かを判定する撮像回数判定部をさらに備え、撮像部は、撮像回数が許容回数を達していないことを条件として撮像を行うことが好ましい。また、このロボットは、入力された音声の音量が予め定められた基準値を越えたか否かを判定する音量判定部と、許容回数と期間内に音量が基準値を越えた回数とに基づいて基準値を再設定する基準値設定部とをさらに備え、撮像部は、音量が基準値を超えたことを条件として撮像を行うことが好ましい。
【００１１】
本発明の第４の形態に係るロボットの制御方法は、ユーザからプリントを受け取るプリント受取段階と、プリントに予め定められた記憶対象画像があるか否かを判断するプリント判断段階と、プリントに記憶対象画像がある場合に当該記憶対象画像を記憶する記憶段階とを備える。
【００１２】
本発明の第５の形態に係るロボットの制御方法は、被写体を撮像する撮像段階と、ユーザとのコミュニケーションの頻度に応じて撮像段階の撮像条件を切り替える撮像条件切替段階と、撮像段階で撮像した画像をプリントするプリント段階とを備える。
【００１３】
本発明の第６の形態に係るロボットの制御方法は、入力された音声が予め定められた音声に対応するか否かを判定する音声判定段階と、音声がした方向を特定する音声方向特定段階と、入力された音声が予め定められた音声に対応することを条件として音声がした方向を撮像する撮像段階とを備える。
【００１４】
なお上記の発明の概要は、本発明の必要な特徴の全てを列挙したものではなく、これらの特徴群のサブコンビネーションも又発明となりうる。
【発明を実施するための最良の形態】
【００１５】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１６】
図１は、本発明の一実施形態に係るロボット１００の機能を示す機能ブロック図である。ロボット１００は、例えば犬の外形を有し、４本の足で歩行移動するペット型のロボットである。ロボット１００は、ユーザからプリントを受け取るプリント受取部１１２と、プリント受取部１１２が受け取ったプリントに予め定められた記憶対象画像があるか否かを判断するプリント判断部１２４と、上記プリントに記憶対象画像がある場合にその記憶対象画像を記憶する記憶部１２６とを有する。なお、本実施形態の記憶対象画像は、人の顔の画像である。
【００１７】
ロボット１００は、さらに、プリントを保管できる保管部１１４と、被写体を撮像する撮像部１０４とを有する。撮像部１０４は、例えばロボットの頭部に備えられたＣＣＤカメラである。ロボット１００は、さらに、撮像部１０４が撮像した画像をプリントできるプリント部１１６と、例えばピントが被写体にあっている画像を撮像するか、ピントが被写体にあっていない画像を撮像するかといった撮像部１０４の撮像条件を切り替える撮像条件切替部１０２を有する。
【００１８】
さらに、ロボット１００は、記憶部１２０に記憶されている記憶対象画像に対応する人（以下、「知人」という）がいる方向へ、あるいは、記憶部１２０に記憶されている記憶対象画像に対応しない人（以下、「他人」という）から遠ざかる方向にロボット１００を移動させる動作制御部１２８を有する。また、ロボット１００は、それぞれ動作制御部１２８の制御に基づいて、例えば犬の鳴き声などの音を発生させる音響部１３０と、ロボットの表情を変える表情変更部１３２とを有する。
【００１９】
さらに、ロボット１００は、それぞれ異なる方向に向けられ、周囲の音声（以下、「周囲音声」という）をひろう３つのマイク１３４、１３６、１３８を有する。また、ロボット１００は、周囲音声の音量が例えば６５ホン等の予め定められた基準値（以下、「音量基準値」という）を越えたか否かを判定する音量判定部１２２と、周囲音声が例えば笑い声等の予め定められた音声（以下、「設定音声」という）に対応するか否かを判定する音声判定部１２０とを有する。また、ロボット１００は、予め定められた期間（以下、「基準期間」という）内に撮像部１０４が撮像を行った撮像回数が予め定められている許容回数に達しているか否かを判定する撮像回数判定部１０８を有する。なお、本実施形態では、基準期間は例えば月曜日から日曜日までの１週間であり、許容回数は例えば２０回である。
【００２０】
ロボット１００は、さらに、周囲音声がした方向（以下、「音声方向」という）を特定する音声方向特定部１１８を有する。音声方向特定部１１８は、例えば、マイク１３４、１３６、１３８の各々がひろった周囲音声の音量差と、各々のマイク１３４、１３６、１３８が向けられている方向とに基づいて音声方向を特定する。また、ロボット１００は、音声方向特定部１１８が求めた音声方向に撮像方向が一致するように撮像部１０４の向きを調整する撮像方向調整部１８４を有する。本実施形態では、撮像方向調整部１８４は、ロボット１００の頭部の向きを変えることで撮像部１０４の撮像方向を調整する。ロボット１００は、上記の他に、基準期間内に音量が基準値を越えた回数等に基づいて音量基準値及び許容回数を再設定する基準値設定部１１０を有する。
【００２１】
図２は、プリント受取部１１２の機能を示す機能ブロック図である。プリント受取部１１２は、ユーザから提供されたプリントを受け取り、保持し、また、プリント判断部１２４からの命令があった場合に保持しているプリントをロボット１００の外部へ排出するプリント保持部１５２を有する。また、プリント受取部１１２は、プリント保持部１５２によって保持されているプリントの画像を読み取る画像読取部１５０を有する。画像読取部１５０は、例えばイメージスキャナー又はＣＣＤカメラである。画像読取部１５０は、読み取った画像をプリント判断部１２４へ送る。プリント受取部１１２は、さらに、プリント保持部１５２が保持しているプリントを保管部１１４へ搬送する搬送部１５４を有する。
【００２２】
なお、プリント受取部１１２は、例えばロボット１００の口に該当する部位に備えられ、ユーザがその口に差し込んだプリントを受け取ることが好ましい。このようにすると、ユーザは、プリントを餌としてロボット１００に与えた感覚を得ることができる。例えば、プリント保持部１５２がプリントを排出した結果、プリントがロボット１００の口から出てくると、ユーザは、ロボット１００がプリントを好まずに口から吐き出したと感じることができる。また、プリントが排出されずに保管部１１４に保管されると、ユーザは、ロボット１００がプリントを好んで飲み込んだと感じることができる。
【００２３】
図３は、動作制御部１２８の機能を示す機能ブロック図である。動作制御部１２８は、撮像部１０４が撮像した人の画像を記憶部１２６に記憶されている記憶対象画像と比較することで、撮像された人が知人であるか他人であるかを判定する画像判定部１６０を有する。また、動作制御部１２８は、撮像部１０４が撮像した人とロボット１００との間の距離を測定する測距部１６２を有する。測距部１６２は、例えば撮像部１０４が有する自動焦点調節機能を利用して撮像された人までの距離を測定する。動作制御部１２８は、さらに、画像判定部１６０の判定および測距部１６２の測定結果に基づいてロボット１００の例えば足の動作を制御することでロボット１００を移動させる移動制御部１６４を有する。
【００２４】
図４は、撮像条件切替部１０２の機能を示す機能ブロック図である。撮像条件切替部１０２は、ユーザがロボット１００に触れたことを検出する接触センサ１１７０を有する。接触センサ１７０は、例えば静電容量式のタッチセンサである。本実施形態では、接触センサ１７０は、ロボット１００の頭に備えられ、ユーザがロボット１００の頭をなでたことを検出する。撮像条件切替部１０２は、さらに、接触センサ１７０の出力に基づいてユーザがロボット１００に触れた接触頻度を算出する接触頻度算出部１７２と、接触頻度算出部１７２が求めた接触頻度に基づいて撮像部１０４の撮像条件を設定する撮像条件設定部１７４とを有する。
【００２５】
図５は、ロボット１００の動作を示すフローチャートである。本実施形態では、ロボット１００は、ユーザからプリントを受け取るためのプリント受取処理（Ｓ１００）と、撮像部１０４が撮像した人に近づく又はその人から離れるための移動制御処理（Ｓ１０２）とを実行する。また、ロボット１００は、設定音声に対応する音声がした方向の画像を撮像するための音声方向撮像処理（Ｓ１０４）と、撮像部１０４の撮像条件を切り替えるための撮像条件切替処理（Ｓ１０６）とを実行する。ロボット１００は、上記４つの処理を主電源が切られるまで繰り返す（Ｓ１０８）。なお、４つの処理が行われる順は任意であり、図示した順に限定されない。
【００２６】
図６は、プリント受取処理（Ｓ１００）の内容を示すフローチャートである。プリント受取処理では、はじめにプリント保持部１５２がユーザから提供されたプリントを受け取り、保持する（Ｓ１２０）。次に、画像読取部１５０がプリントの画像を読み取る（Ｓ１２２）。次に、プリント判断部１２４が読み取られた画像に記憶対象画像が含まれているか否かを判断する（Ｓ１２４）。前述したように、本実施形態では、記憶対象画像は人の顔の画像である。プリント判断部１２４は、例えば、読み取られた画像に人の肌色と同一の色相を有する領域があるか、また、その領域内に人の目に対応する画像があるかを基準としてＳ１２４の判断を行う。
【００２７】
読み取られた画像に記憶対象画像がある場合、プリント判断部１２４は、その記憶対象画像、つまり人の顔の画像を記憶部１２６に記憶させる（Ｓ１２４：Ｙ、Ｓ１２６）。また、プリント判断部１２４は、プリント搬送部１５４に受け取ったプリントをプリント保持部１５２から保管部１１４へ移させる（Ｓ１２８）。一方、Ｓ１２４において、プリント判断部１２４が読み取られた画像に記憶対象画像がないと判断された場合、プリント判断部１２４は、プリント保持部１５２にプリントをロボット１００の外部へ排出させる（Ｓ１２４：Ｎ、Ｓ１３０）。Ｓ１２８またはＳ１３０の処理が終了すると、プリント受取処理は終了する。
【００２８】
図７は、移動制御処理（Ｓ１０２）の内容を示すフローチャートである。移動制御処理では、撮像部１０４がロボット１００の周囲の画像を撮像し、撮像された画像を動作制御部１２８へ送る（Ｓ１４０）。動作制御部１２８では、画像判定部１６０が送られた画像に人がいるか否かを判定する（Ｓ１４２）。人がいなかった場合、ロボット１００は、移動制御処理を終了する（Ｓ１４２：Ｎ）。人がいた場合、画像判定部１６０は、その人の画像と記憶部１２０に記憶されている記憶対象画像と比較して、撮像された人が知人であるか否かを判定する（Ｓ１４２：Ｙ、Ｓ１４４）。画像判定部１６０は、予め定められた誤差範囲内で撮像された人の顔と記憶対象画像とが一致する場合には撮像された人は知人であると判定し（Ｓ１４４：Ｙ）、一致しない場合には他人であると判定する（Ｓ１４４：Ｎ）。
【００２９】
Ｓ１４４において、画像判定部１６０が、撮像された人は他人であると判定した場合、次に表情変更部１３２がロボット１００の表情を警戒した表情に変更する（Ｓ１４６）。本実施形態では、表情変更部１３２は、例えばロボットの耳を立てることによりロボットの表情を警戒した表情に変える。次に、移動制御部１６４がロボット１００を撮影されている他人から後退りさせる（Ｓ１４８）。これにより、ロボット１００は、顔を他人の方向へ向けたまま、その他人から遠ざかる方向へ移動する。移動制御部１６４は、測距部１６２が測定する他人までの距離が予め定められた距離となるまでロボット１００を後退りさせる（Ｓ１５０）。ここで予め定められた距離とは、例えば、撮像部１０４がその他人の全身を撮影できる距離である。
【００３０】
ロボット１００が予め定められた距離だけ他人から後退りすると、次に音響部１３０が音を発生させる（Ｓ１５２）。発生される音は、それを聞いた上記他人の注意を喚起し、上記他人を撮像部１０４の方へ振り向かせるための音である。本実施形態では、音響部１３０は、犬の吠え声を発生させる。音が発生された後、撮像部１０４が他人のいる方向の静止画を撮像する（Ｓ１５４）。また、撮像の後、移動制御部１６４が他人のいる方向と異なる方向へロボットの向きを変える（Ｓ１５６）。このようにロボット１００が他人から後退したり、向きを変えたりすることにより、ロボット１００は、その他人に対し親密な感情を抱いていないことを表現できる。
【００３１】
Ｓ１４４において、画像判定部１５０が、撮像された人が知人であると判定した場合、次に、表情変更部１３２がロボット１００の表情を従順な表情に変える（Ｓ１５８）。本実施形態の場合、表情変更部１３２は、ロボットの耳を寝かせることで従順な表情を作り出す。次に、移動制御部１６４がロボット１００を撮像されている知人の方へ移動させる（Ｓ１６０）。移動制御部１６４は、測距部１６２が測定する知人までの距離が予め定められた距離、例えば５０ｃｍとなるまでロボット１００を知人の方向へ接近させる（Ｓ１６２）。
【００３２】
次に、プリント部１１６が撮像部１０４が撮像した画像をプリントし、知人に提供する（Ｓ１６４）。プリントする画像には、撮像部１０４がＳ１５４で撮像した他人の画像と、後述する音声方向撮像処理において撮像部１０４が撮像した音声方向の画像とが含まれる。Ｓ１５６またはＳ１６４の処理が終了すると、移動制御処理は終了する。
【００３３】
図８は、音声方向撮像処理（Ｓ１０４）の内容を示すフローチャートである。音声方向撮像処理では、はじめに、音量判定部１２２がマイク１３４、１３６、及び１３８が取得した周囲音声の音量が音量基準値を超えるか否かを判定する（Ｓ１８０）。音量判定部１２２が周囲音声の音量が音量基準値を超えないと判定した場合、音声方向撮像処理は終了する（Ｓ１８０：Ｎ）。一方、音量判定部１２２が周囲音声の音量が音量基準値を超えると判定した場合、次に音声判定部１２０が周囲音声が設定音声に対応するか否かを判定する（Ｓ１８０：Ｙ、Ｓ１８２）。本実施形態では、音声判定部１２０は、周囲音声の周波数スペクトルを求め、求めた周波数スペクトルに人の笑い声を示すスペクトルが含まれている場合に周囲音声は設定音声に対応すると判定する。
【００３４】
Ｓ１８２において、音声判定部１２０が周囲音声は設定音声に対応していないと判定した場合、音声方向撮像処理は終了する（Ｓ１８２：Ｎ）。一方、周囲音声が設定音声に対応していると音声判定部１２０が判定した場合、次に撮像回数判定部１０８が基準期間内の撮像回数が許容回数に達しているか否かを判定する（Ｓ１８２：Ｙ、Ｓ１８４）。撮像回数が許容回数に達していない場合、次に音声方向特定部１１８がマイク１３４、１３６、１３８の出力に基づいて音声方向を特定する（Ｓ１８４：Ｎ、Ｓ１８６）。さらに、撮像方向調整部１０６が、音声方向特定部１１８が特定した音声方向に撮像部１０４の撮像方向を一致させる（Ｓ１８８）。次に、撮像部１０４が静止画を撮像する（Ｓ１９０）。これにより、本実施形態の場合は、笑い声がした方向の画像が撮影される。Ｓ１９０の処理の終了により、音声方向撮像処理は終了する。
【００３５】
一方、Ｓ１８４において撮像回数判定部１０８が撮像回数が許容回数に達していると判定した場合には、基準値設定部１１０が、設定音声に対応する周囲音声が基準期間内に音量基準値を越えた回数と許容回数との差である超過回数を求め、超過回数が予め定められているしきい値を越えるか否かを判断する（Ｓ１８４：Ｙ、Ｓ１９２）。超過回数がしきい値を越えていない場合、音声方向撮像処理は終了する（Ｓ１９２：Ｎ）。一方、超過回数がしきい値を越えている場合、基準値設定部１１０は、音量基準値を例えば５ホン高い値に、又は許容回数を例えば５回多い値に再設定する（Ｓ１９２：Ｙ、Ｓ１９４）。Ｓ１９４の処理の終了により、音声方向撮像処理は終了する。
【００３６】
図９は、撮像条件切替処理（Ｓ１０６）の内容を示すフローチャートである。撮像条件切替処理では、接触頻度算出部１６２が接触センサにユーザが触れる度に接触頻度を求める（Ｓ２１０、Ｓ２１２）。本実施形態では、接触頻度算出部１６２は、例えば過去１週間にユーザが接触センサに触れた回数を接触頻度として求める。一方、撮影条件設定部１６４は、定期的に、例えば一日１回定められた時間に接触頻度算出部１６２が算出した接触頻度が予め定められた規定値を越えているか否かを判断する（Ｓ２１４，Ｓ２１６）。接触頻度が規定値を越えている場合、つまりユーザがロボット１００とコミュニケーションを取っている回数が多い場合には、撮像条件設定部１６４は、撮像部１０４の撮影条件を第１の条件に設定する（Ｓ２１６：Ｙ、Ｓ２１８）。本実施形態では、第１の撮像条件に設定された撮像部１０４は、シャープなピント、および適正な露光条件で被写体を撮像する。
【００３７】
一方、接触頻度が規定値以下である場合、つまりユーザとロボット１００との間のコミュニケーションが不足している場合、撮像条件設定部１６４は、撮像部１０４の撮像条件を第２の条件に設定する（Ｓ２１６：Ｎ，Ｓ２２０）。本実施形態では、第２の撮像条件に設定されたカメラ１８２は、ピントが被写体にあっておらず、また、露出がアンダー又はオーバーとなっている画像を撮像する。このように、接触頻度に基づいてカメラ１８２の撮影条件を切り替えることにより、ロボット１００は、ユーザと十分なコミュニケーションがとれており満足しているのか、あるいは、ユーザとのコミュニケーションが不十分なために不満でいるのかを撮像した画像の画質に表現する。
【００３８】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００３９】
上記の説明から明らかなように、本発明によれば、プリントという物をユーザとやり取りすることでユーザとコミュニケーションを取るロボットが提供されるので、ユーザにとってより現実のペットの形態に近いロボットを提供できる。
【図面の簡単な説明】
【００４０】
【図１】本発明の一実施形態に係るロボット１００の機能を示す機能ブロック図である。
【図２】プリント受取部１１２の機能を示す機能ブロック図である。
【図３】動作制御部１２８の機能を示す機能ブロック図である。
【図４】撮像条件切替部１０２の機能を示す機能ブロック図である。
【図５】ロボット１００の動作を示すフローチャートである。
【図６】プリント受取処理（Ｓ１００）の内容を示すフローチャートである。
【図７】移動制御処理（Ｓ１０２）の内容を示すフローチャートである。
【図８】音声方向撮像処理（Ｓ１０４）の内容を示すフローチャートである。
【図９】撮像条件切替処理（Ｓ１０６）の内容を示すフローチャートである。
【符号の説明】
【００４１】
１０２  撮像条件切替部
１０４  撮像部
１０６  撮像方向調節部
１０８  撮像回数判定部
１１０  基準値設定部
１１２  プリント受取部
１１４  保管部
１１６  プリント部
１１８  音声方向特定部
１２０  音声判定部
１２２  音量判定部
１２４  プリント判断部
１２６  記憶部
１２８  動作制御部
１３０  音響部
１３２  表情変更部
【図１】
2008044104.tif 000003
【図２】
2008044104.tif 000004
【図３】
2008044104.tif 000005
【図４】
2008044104.tif 000006
【図５】
2008044104.tif 000007
【図６】
2008044104.tif 000008
【図７】
2008044104.tif 000009
【図８】
2008044104.tif 000010
【図９】
2008044104.tif 000011